(57)【要約】【課題】補助電源部の故障時であっても、マネージメントコントローラに電源を供給する。【解決手段】電源供給装置は、主電源を発生し、主電源ラインを介して、所定の情報処理を行うメインコントローラに前記主電源を供給する主電源部と、補助電源を発生し、補助電源ラインを介して、前記メインコントローラを管理するマネージメントコントローラに前記補助電源を供給する補助電源部と、前記主電源ラインに設けられ、前記マネージメントコントローラの起動後であって、前記補助電源部が故障していないときにオンになる第１のスイッチ部と、前記主電源ラインのうち前記主電源部と前記第１のスイッチ部との間の点と前記補助電源ラインとに接続されたバックアップ電源ラインと、前記バックアップ電源ラインに設けられ、前記補助電源部の故障時にオンになる第２のスイッチ部と、を備える。【選択図】図１
2018147007.tif 000002
【特許請求の範囲】
【請求項１】
主電源を発生し、主電源ラインを介して、所定の情報処理を行うメインコントローラに前記主電源を供給する主電源部と、
補助電源を発生し、補助電源ラインを介して、前記メインコントローラを管理するマネージメントコントローラに前記補助電源を供給する補助電源部と、
前記主電源ラインに設けられ、前記マネージメントコントローラの起動後であって、前記補助電源部が故障していないときにオンになる第１のスイッチ部と、
前記主電源ラインのうち前記主電源部と前記第１のスイッチ部との間の点と前記補助電源ラインとに接続されたバックアップ電源ラインと、
前記バックアップ電源ラインに設けられ、前記補助電源部の故障時にオンになる第２のスイッチ部と
を備える電源供給装置。
【請求項２】
前記主電源部が、それぞれ異なる規格の前記主電源を発生し、それぞれ異なる主電源ラインを介して、前記メインコントローラに主電源を並列に供給する複数の主電源器を備え、
前記補助電源部が、それぞれ異なる規格の前記補助電源を発生し、それぞれ異なる補助電源ラインを介して、前記マネージメントコントローラに補助電源を並列に供給する複数の補助電源器を備え、
前記バックアップ電源ラインが、前記それぞれの主電源ラインのいずれか１つと、前記それぞれの補助電源ラインのいずれか１つと、に接続され、
前記第１のスイッチ部が、前記それぞれの主電源ラインに設けられ、かつ、前記マネージメントコントローラの起動後であって、前記複数の補助電源器のうち、前記バックアップ電源ラインに接続される補助電源器が故障していないときにオンになる複数のスイッチ素子を備え、
前記第２のスイッチ部が、前記複数の補助電源器のうち、前記バックアップ電源ラインに接続される補助電源器の故障時にオンになる
請求項１に記載の電源供給装置。
【請求項３】
前記マネージメントコントローラから出力される切替指示に従って前記第１のスイッチ部をオンにし、前記補助電源器の故障中に前記第１のスイッチ部をオフに固定する電源制御部をさらに備える
請求項１または請求項２に記載の電源供給装置。
【請求項４】
前記補助電源部と、前記補助電源ラインと前記バックアップ電源ラインとの接続箇所と、の間における前記補助電源ラインに、前記補助電源部に向かう逆電流を阻止するためのダイオードを更に備える
請求項１に記載の電源供給装置。
【請求項５】
主電源を発生し、主電源ラインを介して、所定の情報処理を行うメインコントローラに前記主電源を供給する主電源部と、
補助電源を発生し、補助電源ラインを介して、前記メインコントローラを管理するマネージメントコントローラに前記補助電源を供給する補助電源部と、
前記主電源ラインに設けられる第１のスイッチ部と、
前記主電源ラインのうち前記主電源部と前記第１のスイッチ部との間の点と前記補助電源ラインとに接続されたバックアップ電源ラインと、
前記バックアップ電源ラインに設けられる第２のスイッチ部と
を備える電源供給装置の制御方法であって、
前記第１のスイッチ部を、前記マネージメントコントローラの起動後であって、前記補助電源部が故障していないときにオンにする第１のスイッチ切替えステップと、
前記第２のスイッチ部を、前記補助電源部の故障時にオンにする第２のスイッチ切替えステップと、
を備える電源供給装置の制御方法。
【請求項６】
所定の情報処理を行うメインコントローラと、
前記メインコントローラを管理するマネージメントコントローラと、
前記メインコントローラに主電源を供給し、前記マネージメントコントローラに補助電源を供給する請求項１から請求項４の何れか１項に記載の電源供給装置と、
を備える情報処理装置。
【発明の詳細な説明】
【技術分野】
【０００１】
本発明は、電源供給装置、電源供給装置の制御方法及び情報処理装置に関する。
【背景技術】
【０００２】
主電源ラインと補助電源ラインの２本の電源ラインを備える情報処理装置が知られている。主電源ラインは、装置本体機能を実現させるためのメインコントローラに主電源を供給する経路である。補助電源ラインは、装置全体のハードウェアの状態を管理するマネージメントコントローラに補助電源を供給する経路である。情報処理装置は、電源に故障障害が発生した場合には、給電元を切り替える。
【０００３】
特許文献１には、電源の故障などで正常動作しない状況に関しても、状態監視が可能な技術が開示されている。特許文献１に記載された技術は、電源装置と、ネットワークに接続されネットワーク上に給電された電力が供給される受電端子と、電源装置または電源装置と受電端子から電力の供給を受けサーバの状態監視を行う制御部とを有する。制御部は、電源装置から電力の供給が断たれた場合に、受電端子のみから電力が供給されるように電力供給経路を切換える。
【０００４】
特許文献２には、電源ユニットが故障する前に給電元を切り替える技術が開示されている。特許文献２に記載された技術は、管理部に電力を供給する給電部に故障の予兆が監視されたときに、通信網から入力される電力を管理部に供給するように給電元を切り替える。
【０００５】
特許文献３には、表示部、プリント部、スキャナ部等の処理ユニットと、メイン電源と、サブ電源と、を備える技術が開示されている。特許文献３に記載された技術は、動作モードに対応する処理ユニットのサブ電源について電源異常を検知した場合、正常に動作する他のサブ電源から、上記の処理ユニットに電力を供給する。
【先行技術文献】
【特許文献】
【０００６】
【特許文献１】特開２０１４−１７４７１２号公報
【特許文献２】特開２０１４−１６０３２６号公報
【特許文献３】特開２００８−２２８１８７号公報
【発明の概要】
【発明が解決しようとする課題】
【０００７】
情報処理装置の状態を常に管理するためには、マネージメントコントローラに常に電源を供給する必要がある。しかし、マネージメントコントローラは、給電元である電源器に故障障害が発生すると、情報処理装置の状態を常に管理できなくなり、情報処理装置を使用するユーザに故障、及び被疑部品を示すことができなくなる。そこで、マネージメントコントローラの給電元に故障障害が発生しても、給電元を切り替えてマネージメントコントローラに電源を供給し続ける必要がある。
【０００８】
特許文献１及び特許文献２に記載された技術は、給電元の切り替え先がネットワーク（通信網）から常に給電される必要があるため、ネットワークから給電できない場合又はオフラインの場合は、給電元を切り替えも電源を供給することができない。
【０００９】
特許文献３に記載された技術は、サブ電源を切り替えることで装置本体機能に相当する処理ユニットを継続的に使用できるものの、装置全体の状態を管理するための電源をどのように確保するか明らかではない。
【００１０】
本発明の目的は、上述した課題を解決する電源供給装置、電源供給装置の制御方法及び情報処理装置を提供することにある。
【課題を解決するための手段】
【００１１】
本発明の第１の態様によれば、電源供給装置は、主電源を発生し、主電源ラインを介して、所定の情報処理を行うメインコントローラに前記主電源を供給する主電源部と、補助電源を発生し、補助電源ラインを介して、前記メインコントローラを管理するマネージメントコントローラに前記補助電源を供給する補助電源部と、前記主電源ラインに設けられ、前記マネージメントコントローラの起動後であって、前記補助電源部が故障していないときにオンになる第１のスイッチ部と、前記主電源ラインのうち前記主電源部と前記第１のスイッチ部との間の点と前記補助電源ラインとを接続するバックアップ電源ラインと、
前記バックアップ電源ラインに設けられ、前記補助電源部の故障時にオンになる第２のスイッチ部とを備える。
【００１２】
本発明の第２の態様によれば、電源供給装置の制御方法は、主電源を発生し、主電源ラインを介して、所定の情報処理を行うメインコントローラに前記主電源を供給する主電源部と、補助電源を発生し、補助電源ラインを介して、前記メインコントローラを管理するマネージメントコントローラに前記補助電源を供給する補助電源部と、前記主電源ラインに設けられる第１のスイッチ部と、前記主電源ラインのうち前記主電源部と前記第１のスイッチ部との間の点と前記補助電源ラインとに接続されたバックアップ電源ラインと、前記バックアップ電源ラインに設けられる第２のスイッチ部とを備える電源供給装置の制御方法であって、前記第１のスイッチ部を、前記マネージメントコントローラの起動後であって、前記補助電源部が故障していないときにオンにする第１のスイッチ切替えステップと、前記第２のスイッチ部を、前記補助電源部の故障時にオンにする第２のスイッチ切替えステップと、を備える。
【００１３】
本発明の第３の態様によれば、情報処理装置は、所定の情報処理を行うメインコントローラと、前記メインコントローラを管理するマネージメントコントローラと、前記メインコントローラに主電源を供給し、前記マネージメントコントローラに補助電源を供給する請求項１から請求項４の何れか１項に記載の電源供給装置と、を備える。
【発明の効果】
【００１４】
上記態様のうち少なくとも１つの態様によれば、電源供給装置は、補助電源部の故障時であっても、マネージメントコントローラに電源を供給することができる。これにより、マネージメントコントローラは、装置全体の状態を常に管理して、電源故障を検出することができ、故障情報をユーザに知らせることが可能となる。
【図面の簡単な説明】
【００１５】
【図１】一実施形態に係る情報処理装置の構成を示す図である。
【図２】一実施形態に係る情報処理装置の電源供給の動作を示すフローチャートである。
【図３】一実施形態に係る情報処理装置の電源の故障時の電源供給の動作を示すフローチャートである。
【図４】電源供給装置の基本構成を示す概略図である。
【発明を実施するための形態】
【００１６】
以下、図面を参照しながら実施形態について詳しく説明する。
図１は、一実施形態に係る情報処理装置の構成を示す図である。
情報処理装置１は、主電源部１０と、補助電源部２０と、電源管理部３０と、電源制御部４０と、マネージメントコントローラ５０と、メインコントローラ６０と、ダイオードＤ１，Ｄ２と、スイッチ素子ＳＷ１〜ＳＷ６と、を備える。なお、スイッチ素子ＳＷ１〜ＳＷ６は、トランジスタ、電界効果トランジスタ（ＦＥＴ）などのオン／オフ制御可能な素子であればよい。
【００１７】
情報処理装置１には、外部入力電源ラインＬから電源が供給される。外部入力電源ラインＬは、主電源部１０へ電源を供給するための経路である主電源ラインＬ１と、補助電源部２０へ電源を供給するための経路である補助電源ラインＬ２と、に分岐する。
【００１８】
主電源部１０は、電源器１１，１２，１３を備える。主電源ラインＬ１は、３本に分岐して、電源器１１，１２，１３にそれぞれ並列に電源を供給する。
電源器１１，１２，１３は、それぞれメインコントローラ６０に必要な電源種に対応し、例えば、メインコントローラ６０を駆動させるために必要な３．３Ｖ、１．５Ｖ、１．２Ｖの電圧をそれぞれ出力するＤＣ−ＤＣコンバータに該当する。
【００１９】
電源器１１，１２，１３は、それぞれ主電源ラインＬ１１，Ｌ１２，Ｌ１３を介して、メインコントローラ６０に接続される。主電源ラインＬ１１には、電源器１１とメインコントローラ６０との電気的な接続をオン／オフするためのスイッチ素子ＳＷ１が設けられる。主電源ラインＬ１２には、電源器１２とメインコントローラ６０との電気的な接続をオン／オフするためのスイッチ素子ＳＷ２が設けられる。主電源ラインＬ１３には、電源器１３とメインコントローラ６０との電気的な接続をオン／オフするためのスイッチ素子ＳＷ３が設けられる。
【００２０】
補助電源部２０は、電源器２１，２２，２３を備える。補助電源ラインＬ２は、４本に分岐して、電源器２１，２２，２３及び電源管理部３０にそれぞれ並列に電源を供給する。
【００２１】
電源器２１，２２，２３は、マネージメントコントローラ５０に必要な電源種に対応し、例えば、マネージメントコントローラ５０を駆動させるために必要な３．３Ｖ、１．５Ｖ、１．２Ｖの電圧をそれぞれ出力するＤＣ−ＤＣコンバータに該当する。なお、電源器１１は、電源器２１と同じ又は電源器２１よりも大きい容量を有する。
【００２２】
電源器２１は、補助電源ラインＬ２１を介して、電源制御部４０及びマネージメントコントローラ５０に接続される。つまり、補助電源ラインＬ２１は、分岐点Ａにおいて２本に分岐して、電源器２１からの電源を電源制御部４０及びマネージメントコントローラ５０に並列に供給する。
【００２３】
補助電源ラインＬ２１上の電源器２１と分岐点Ａの間には、電源器２１に向かう逆電流を阻止するためのダイオードＤ１が設けられる。つまり、ダイオードＤ１のアノードは電源器２１側に、ダイオードＤ１のカソードはマネージメントコントローラ５０側に配置される。
【００２４】
電源器２２，２３は、それぞれ補助電源ラインＬ２２，Ｌ２３を介して、マネージメントコントローラ５０に接続される。補助電源ラインＬ２２には、電源器２２とマネージメントコントローラ５０との電気的な接続をオン／オフするためのスイッチ素子ＳＷ４が設けられる。補助電源ラインＬ２３には、電源器２３とマネージメントコントローラ５０との電気的な接続をオン／オフするためのスイッチ素子ＳＷ５が設けられる。
【００２５】
主電源ラインＬ１１と補助電源ラインＬ２１は、バックアップ電源ラインＬ３０を介して接続される。すなわち、バックアップ電源ラインＬ３０の一端（上流側）は、主電源ラインＬ１１上の電源器１１とスイッチ素子ＳＷ１との間の点（分岐点Ｂ）に接続される。バックアップ電源ラインＬ３０の他端（下流側）は、補助電源ラインＬ２１上のダイオードＤ１と分岐点Ａとの間の点（合流点Ｃ）に接続される。
【００２６】
バックアップ電源ラインＬ３０には、直列接続したスイッチ素子ＳＷ６及びダイオードＤ２が設けられる。スイッチ素子ＳＷ６は分岐点Ｂ側に、ダイオードＤ２は合流点Ｃ側に配置される。ダイオードＤ２は、補助電源ラインＬ２１から主電源ラインＬ１１への逆電流を阻止するものである。よって、ダイオードＤ２のアノードは分岐点Ｂ側に、ダイオードＤ２のカソードは分岐点Ｃ側に配置される。
【００２７】
電源管理部３０は、補助電源ラインＬ２から電源が供給されると起動する。電源管理部３０は、故障障害検知部３１と、故障障害通知部３２と、スイッチ切替部３３と、を備える。
【００２８】
故障障害検知部３１は、例えば電源器２１の電圧を常時モニターすることで電源器２１の故障障害の有無を監視する。故障障害検知部３１は、電源器２１の故障障害を検知した際は、故障障害通知部３２及びスイッチ切替部３３へ、故障障害が発生した旨の通知（以下、故障障害通知という。）を送信する。
【００２９】
故障障害通知部３２は、故障障害検知部３１からの故障障害通知を受けると、故障障害通知を電源制御部４０へ送信する。スイッチ切替部３３は、故障障害検知部３１からの故障障害通知を受けると、スイッチ素子ＳＷ６をオフからオンに切り替える。なお、スイッチ素子ＳＷ６がオンになると、主電源ラインＬ１１の電源が、バックアップ電源ラインＬ３０を経由して、補助電源ラインＬ２１に供給される。
【００３０】
電源制御部４０は、補助電源ラインＬ２１から電源が供給されると起動する。電源制御部４０は、マネージメントコントローラ電源制御部４１と、メインコントローラ電源制御部４２と、を備える。
【００３１】
マネージメントコントローラ電源制御部４１は、スイッチ素子ＳＷ４，ＳＷ５のオン／オフを制御する。具体的には、マネージメントコントローラ電源制御部４１は、補助電源ラインＬ２１から電源が供給されて自身が起動すると、スイッチ素子ＳＷ４，ＳＷ５をオフからオンに切り替える。
【００３２】
メインコントローラ電源制御部４２は、スイッチ素子ＳＷ１，ＳＷ２，ＳＷ３のオン／オフを制御する。具体的には、メインコントローラ電源制御部４２は、マネージメントコントローラ５０からスイッチ切替え指示を受けると、スイッチ素子ＳＷ１，ＳＷ２，ＳＷ３をオフからオンに切り替える。
【００３３】
なお、メインコントローラ電源制御部４２は、故障障害通知部３２から故障障害通知を受けた場合は、スイッチ素子ＳＷ１，ＳＷ２，ＳＷ３を強制的にオフに設定する。そして、メインコントローラ電源制御部４２は、故障部位の復旧作業が完了するまでは、マネージメントコントローラ５０から上記のスイッチ切替え指示を受けた場合であっても、スイッチ素子ＳＷ１，ＳＷ２，ＳＷ３をオフのままに固定（ガード）する。なお、スイッチ素子ＳＷ１〜ＳＷ６は、電源供給前の初期状態ではオフである。
【００３４】
マネージメントコントローラ５０は、装置全体のハードウェアの状態を管理する。マネージメントコントローラ５０は、例えば、メインコントローラ６０や電源制御部４０を制御し、メインコントローラ６０の電源制御や、メインコントローラ６０の障害・故障の有無等の状態管理を行う。
【００３５】
マネージメントコントローラ５０は、補助電源ラインＬ２１，Ｌ２２，Ｌ２３を介して、電源器２１，２２，２３のすべての電源が供給されたときに起動する。マネージメントコントローラ５０は、自身の起動後に、電源制御部４０に対してスイッチＳＷ１、ＳＷ２、ＳＷ３のスイッチ切替え指示を行い、その後、メインコントローラ６０の制御・状態管理を行う。
メインコントローラ６０は、装置全体の機能を実現するためにＣＰＵやメモリ等で構成される情報処理ユニットである。
【００３６】
情報処理装置１の電源供給の動作について説明する。
図２は、一実施形態に係る情報処理装置の電源供給の動作を示すフローチャートである。
外部入力電源ラインＬに電源が入力されると、主電源ラインＬ１及び補助電源ラインＬ２に電源が供給される。このとき、電源器１１，１２，１３，２１，２２，２３は、主電源ラインＬ１及び補助電源ラインＬ２から供給される電源を受けて駆動されて、それぞれ所定の電源を発生する。同時に、故障障害検知部３１も起動して、電源器２１の故障障害の有無を監視する（ステップＳ１）。
【００３７】
このとき、スイッチ素子ＳＷ１〜ＳＷ６はすべてオフである。このため、メインコントローラ６０には、電源器２１，２２，２３で発生された電源が供給されない。また、マネージメントコントローラ５０には、電源器２１で発生された電源が供給されるが、電源器２２，２３で発生された電源は供給されない。
【００３８】
電源制御部４０のマネージメントコントローラ電源制御部４１は、電源器２１で発生された電源が補助電源ラインＬ２１を介して供給されると、補助電源ラインＬ２２，Ｌ２３のスイッチ素子ＳＷ４，ＳＷ５をオンに切り替える（ステップＳ２）。これにより、マネージメントコントローラ５０には、補助電源ラインＬ２１，Ｌ２２，Ｌ２３を介して、電源器２１，２２，２３のすべての電源が供給される。
【００３９】
マネージメントコントローラ５０は、電源器２１，２２，２３のすべての電源が供給されると起動して、自身が備えるファームウェアの初期化を開始する。マネージメントコントローラ５０は、初期化完了後、メインコントローラ電源制御部４２に対して、スイッチ切替え指示を行う（ステップＳ３）。そして、マネージメントコントローラ５０は、装置全体のハードウェアの状態管理を開始する。
【００４０】
マネージメントコントローラ電源制御部４１は、マネージメントコントローラ５０からスイッチ切替え指示を受けると、主電源ラインＬ１１，Ｌ１２，Ｌ１３のスイッチ素子ＳＷ１，ＳＷ２，ＳＷ３をオンに切り替える（ステップＳ４）。これにより、メインコントローラ６０には、主電源ラインＬ１１，Ｌ１２，Ｌ１３を介して、電源器１１，１２，１３のすべての電源が供給される。
メインコントローラ６０は、電源器１１，１２，１３のすべての電源が供給されると、自身が起動して、所定の情報処理を開始する（ステップＳ５）。
【００４１】
電源器２１の故障時における情報処理装置１の電源供給の動作について説明する。
図３は、一実施形態に係る情報処理装置の電源器の故障時における電源供給の動作を示すフローチャートである。
【００４２】
電源器２１の故障時には、補助電源ラインＬ２１からマネージメントコントローラ５０へ電源が供給されない。このため、マネージメントコントローラ５０は、自身が起動できないため、メインコントローラ６０を制御できず、装置全体のハードウェアの状態を管理できなくなる。このような事態を回避すべく、以下の処理が実行される。
【００４３】
外部入力電源ラインＬに電源が入力されると、主電源ラインＬ１及び補助電源ラインＬ２に電源が供給される。このとき、電源器１１，１２，１３，２１，２２，２３は、主電源ラインＬ１及び補助電源ラインＬ２から供給される電源を受けて起動する。同時に、故障障害検知部３１も起動して、電源器２１の故障障害の有無を監視する（ステップＳ１１）。
【００４４】
ここで、電源器２１の故障障害が発生すると、電源器２１の出力電圧が異常値になり、電源管理部３０の故障障害検知部３１によって故障障害が検知される。
故障障害検知部３１は、電源器２１に故障障害が発生したことを検知すると、故障障害通知を故障障害通知部３２及びスイッチ切替部３３に送信する（ステップＳ１２）。なお、故障障害検知部３１は、電源器２１の故障障害が解消されるまで、継続的に故障障害通知を送信する。
【００４５】
補助電源側の電源器２１は故障障害があるものの、主電源側の電源器１１，１２，１３は正常に起動しており、電源器１１，１２，１３の電源が余剰となる。
スイッチ切替部３３は、故障障害検知部３１からの故障障害通知を受けると、バックアップ電源ラインＬ３０のスイッチ素子ＳＷ６をオフからオンに切り替える（ステップＳ１３）。これにより、主電源ラインＬ１１の余剰となっていた電源が、バックアップ電源ラインＬ３０を介して、補助電源ラインＬ２１に供給され、さらに電源制御部４０及びマネージメントコントローラ５０に供給される。なお、電源器２１と合流点Ｃとの間における補助電源ラインＬ２１には、ダイオードＤ１が設けられている。このため、バックアップ電源ラインＬ３０から補助電源ラインＬ２１に電源が供給されても、ダイオードＤ１は、電源器２１へ向かう逆電流を阻止して、電源器２１を保護する。
【００４６】
故障障害通知部３２は、故障障害検知部３１から故障障害通知を受け取ると、故障障害通知を電源制御部４０のメインコントローラ電源制御部４２へ送信する。
メインコントローラ電源制御部４２は、故障障害通知部３２から故障障害通知を受けている期間は、メインコントローラ６０に電源が供給されないようにガードをかける（ステップＳ１４）。
【００４７】
例えば、メインコントローラ電源制御部４２、故障障害通知を受けている期間は、スイッチ素子ＳＷ１，ＳＷ２，ＳＷ３を強制的にオフに設定し、又は、自身の動作を強制的に停止する。これにより、メインコントローラ電源制御部４２は、故障障害通知部３２から故障障害通知を受けている期間は、仮にマネージメントコントローラ５０からスイッチ切替え指示を受けた場合でも、メインコントローラ６０への電源供給を遮断できる。つまり、すなわち、電源器２１に故障障害が発生した場合は、電源器２１が修理交換されて故障障害検知部３１が故障障害通知の送信を停止するまで、メインコントローラ６０には電源が供給されない。
【００４８】
電源制御部４０のマネージメントコントローラ電源制御部４１は、電源器１１の余剰電源が、バックアップ電源ラインＬ３０及び補助電源ラインＬ２１を介して供給されると、補助電源ラインＬ２２，Ｌ２３のスイッチ素子ＳＷ４，ＳＷ５をオンに切り替える（ステップＳ１５）。これにより、マネージメントコントローラ５０には、補助電源ラインＬ２１，Ｌ２２，Ｌ２３を介して、電源器２１，２２，２３のすべての電源が供給される。
【００４９】
マネージメントコントローラ５０は、電源器２１，２２，２３のすべての電源が供給されると起動して、自身が備えるファームウェアの初期化を開始する。マネージメントコントローラ５０は、初期化完了後、電源器２１，２２，２３の健全性を確認して、故障している電源（本実施形態では電源器２１）を特定する。さらに、マネージメントコントローラ５０は、電源器２１の障害情報の採取等を行い、採取した情報をユーザに通知する（ステップＳ１６）。この結果、ユーザは、故障障害の発生した電源（本実施形態では電源器２１）の障害情報を確認して、電源器２１の修理交換を行うことができる。
【００５０】
このように、本実施形態によれば、情報処理装置１は、補助電源側の電源器２１に故障障害が発生した場合、バックアップ電源ラインＬ３０上のスイッチ素子ＳＷ６をオンに切り替える。これにより、主電源側の電源器１１の電源が、バックアップ電源ラインＬ３０を介して、電源制御部４０及びマネージメントコントローラ５０に供給される。さらに、電源制御部４０のマネージメントコントローラ電源制御部４１によって、補助電源ラインＬ２２，Ｌ２３のスイッチ素子ＳＷ２２，ＳＷ２３がオンになる。この結果、マネージメントコントローラ５０は、必要なすべての電源が供給されて起動することができ、電源器２１の故障情報を採取して、ユーザに通知することができる。
【００５１】
すなわち、情報処理装置１は、故障した補助電源側の電源器２１の代わりに、主電源側の電源器１１の電源をマネージメントコントローラ５０に供給する。これにより、情報処理装置１は、メインコントローラ６０による装置本体機能よりも、マネージメントコントローラ５０による装置本体の状態管理を優先する。さらに、情報処理装置１は、補助電源の二重化による設置スペースの増加及びコスト増加を抑制しつつ、電源オン時の電源故障を検出し、故障情報をユーザに知らせることが可能となる。これにより、ユーザは、故障部位を的確に把握して、故障を早期に発見することができる。
【００５２】
なお、比較例として、マネージメントコントローラへの補助電源ラインを二重化して、複数の給電元を備える情報処理装置が考えられる。このような情報処理装置は、給電元に故障障害が発生した場合に、故障のある給電元から故障のない給電元へ即時切り替えることで、マネージメントコントローラ５０に電源を供給することができる。しかし、補助電源ラインを二重化すると、給電元の数を通常の２倍にする必要があるため、実装するハードウェアが肥大化し、コストが増加する。これに対し、本実施形態によれば、給電元の数増やすことなく、給電元の故障診断を行うことができる。
【００５３】
以上、図面を参照して一実施形態について詳しく説明してきたが、具体的な構成は上述のものに限定されることはなく、様々な設計変更等をすることが可能である。
上述した実施形態では、故障障害検知部３１は、電源器２１の故障障害の有無を検知したが、補助電源側の任意の電源器（例えば電源器２２）の故障障害の有無を検知してもよい。この場合、バックアップ電源ラインＬ３０は、主電源ラインＬ１２と補助電源ラインＬ２２との間に設けられる。
【００５４】
故障障害検知部３１は、補助電源側の複数の電源器の故障障害の有無を検知してもよい。この場合、バックアップ電源ラインＬ３０は、上述の実施形態のように１本ではなく、補助電源側の故障障害の有無を検知可能な電源器の数に応じて設けられる。また、主電源ラインＬ１と補助電源ラインＬ２は、上述の実施形態では共通する外部入力電源ラインＬから分岐されてたものであるが、それぞれ独立したものであってもよい。
【００５５】
＜基本構成＞
図４は、電源供給装置の基本構成を示す概略図である。
上述した実施形態では、情報処理装置１の一実施形態として図１に示す構成について説明したが、情報処理装置１の基本構成は、図４に示す通りである。
【００５６】
情報処理装置１は、基本構成として、主電源部１０、補助電源部２０、スイッチ素子ＳＷ１と、バックアップ電源ラインＬ３０と、スイッチ素子ＳＷ６と、を備える。
主電源部１０は、主電源を発生し、主電源ラインＬ１１を介して、所定の情報処理を行うメインコントローラ６０に主電源を供給する。補助電源部２０は、補助電源を発生し、補助電源ラインＬ２１を介して、マネージメントコントローラ５０に補助電源を供給する。
【００５７】
スイッチ素子ＳＷ１は、主電源ラインＬ１１に設けられ、マネージメントコントローラ５０の起動後であって、前記補助電源部が故障していないときにオンになる。バックアップ電源ラインＬ３０は、主電源ラインＬ１１のうち主電源部１０とスイッチ素子ＳＷ１との間の点と補助電源ラインＬ２１とに接続される。スイッチ素子ＳＷ６は、バックアップ電源ラインＬ３０に設けられ、補助電源部２０の故障時にオンになる。
【００５８】
これにより、情報処理装置１は、補助電源部２０の故障時であっても、マネージメントコントローラ５０に電源を供給することができる。そして、マネージメントコントローラ５０は、装置全体の状態を常に管理することができるので、電源故障を検出することができ、故障情報をユーザに知らせることが可能となる。
【符号の説明】
【００５９】
１  情報処理装置
１０  主電源部
１１，１２，１３，２１，２２，２３  電源器
２０  補助電源部
３０  電源管理部
３１  故障障害検知部
３２  故障障害通知部
３３  スイッチ切替部
４０  電源制御部
４１  マネージメントコントローラ電源制御部
４２  メインコントローラ電源制御部
５０  マネージメントコントローラ
６０  メインコントローラ
【図１】
2018147007.tif 000003
【図２】
2018147007.tif 000004
【図３】
2018147007.tif 000005
【図４】
2018147007.tif 000006